(57)【要約】【課題】            マスクをはじめ、眼鏡等、直に皮膚に接触させる物を必要時に有効に装着し、その装着時の密着性が良く使用感も違和感がなく、緩衝性も保持させることができる接着部材は存在していなかったという点であり、その接着部材をマスクや眼鏡に使用することも存在していなかったという点である。【解決手段】        粘着材を帯状に成形し、その両面に剥離紙または剥離フィルムあるいは剥離シートのうち１つの剥離材を備えていることとし、前記した粘着材及び剥離材は切断可能としてあることとし、前記した粘着材はアクリル系親水性高分子、グリセリン及び水を材料として構成されていることとする。【選択図】          図３
2015007163.tif 000002
【特許請求の範囲】
【請求項１】
粘着材を帯状に成形し、その両面に剥離紙または剥離フィルムあるいは剥離シートのうち１つの剥離材を備えていることを特徴とする接着部材。
【請求項２】
前記した粘着材及び剥離材は切断可能としてあることを特徴とする請求項１に記載の接着部材。
【請求項３】
前記した粘着材はアクリル系親水性高分子、グリセリン及び水を材料として構成されていることを特徴とする請求項１または２に記載の接着部材。
【請求項４】
請求項１から３のうち１つに記載の接着部材を、剥離材を剥離してマスクの裏面上端部に貼装することを特徴とする接着部材の使用方法。
【請求項５】
請求項１から３のうち１つに記載の接着部材を切り出し、剥離材を剥離して眼鏡の鼻当てに貼装することを特徴とする接着部材の使用方法。
【発明の詳細な説明】
【技術分野】
【０００１】
本発明は接着部材及びその使用方法に関し、特にマスク、それも医療手術時に医師や看護士が装着使用するマスクに使用して効を奏し、また、自在な形状に切断、切り出して眼鏡の鼻当てに貼装する等して使用用途が広範となる接着部材及びその使用方法に関する。
【背景技術】
【０００２】
従来、通気フィルタとしてのマスクに顔面との間に隙間が生じることを防止し、良好な使用感を得ることができるマスクに関する技術が特許文献１として示す文献に記載されている。この特許文献１に記載されているマスクは、マスクの周辺部に無端形状の形状保持体を配置して、その形状保持体の顔面当接側に肌密着性を有するジェル層を形成した構成となっている。
【０００３】
かかる構成のため、使用者の呼気は密閉状態のマスクと顔面間の空隙に溜まり、代謝がマスクのフィルタ効能となってしまい、息苦しく、熱や湿気がこもってしまい、使用感が良好となるものではない。
【０００４】
特に、医療用手術マスクとして使用する場合には、指示や応答等の会話も不可欠となるために決して良好な状態とは言えない状態となってしまうもので、加えて、このマスクは当初よりジェル層があるため、特にその層を不要とする場合には邪魔な存在となる。そして、ジェル層は水分含有率の多い物質であるため、特許文献１に記載されているように、密着性は考慮し難く、流動してしまう虞もある。
【先行技術文献】
【特許文献】
【０００５】
【特許文献１】特開２０１１−１０９０３号公報
【発明の概要】
【発明が解決しようとする課題】
【０００６】
本発明が解決しようとする問題点は、マスクをはじめ、眼鏡等、直に皮膚に接触させる物を必要時に有効に装着し、その装着時の密着性が良く使用感も違和感がなく、緩衝性も保持させることができる接着部材は存在していなかったという点であり、その接着部材をマスクや眼鏡に使用することも存在していなかったという点である。
【課題を解決するための手段】
【０００７】
上記した問題点を解決するために、本発明に係る接着部材は、粘着材を帯状に成形し、その両面に剥離紙または剥離フィルムあるいは剥離シートのうち１つの剥離材を備えていることを特徴としている。
【０００８】
また、本発明に係る接着部材は、前記した粘着材及び剥離材は切断可能としてあることを特徴としている。
【０００９】
さらに、本発明に係る接着部材は、前記した粘着材はアクリル系親水性高分子、グリセリン及び水を材料として構成されていることを特徴としている。
【００１０】
そして、本発明に係る接着部材の使用方法は、接着部材を、剥離材を剥離してマスクの裏面上端部に貼装することを特徴としている。
【００１１】
また、本発明に係る接着部材の使用方法は、接着部材を切り出し、剥離材を剥離して眼鏡の鼻当てに貼装することを特徴としている。
【発明の効果】
【００１２】
本発明に係る接着部材及びその使用方法は上記したように構成されている。この接着部材は、粘着材、即ち、粘着性物質を帯状に形成し、両面に剥離材を備えているので、必要な時に、対象物へ貼装して使用することが可能となり、切断可能としてあるため、そのサイズや形状も自在なものとすることができ、スティック状や小片のパッド状として使用することも可能となる。
【００１３】
また、その材料も単回使用心電用電極に使用されるものと同等のものを用いることで、人体に対しての悪影響は一切なく、位置ずれを生じてしまうこともなく、十分な密着性を得ることができる。
【００１４】
さらに、この接着部材をマスク、特に医療手術用のマスク、それも裏面、即ち、顔面接触側の上端部分に貼装すると、使用状態で使用者の呼気、それに含まれる湿気や熱が上方へ抜けることを抑止し、同時に使用しているゴーグルや眼鏡を曇らせてしまうこともなくなり、指示や応答の発言も違和感なく行なうことができる。
【００１５】
そして、この接着部材を小片のパッド状に切り出し、眼鏡の鼻当てに貼装すると、位置ずれを防止し、当圧による違和感、圧迫感もなくなり、汗止めともなって、眼鏡の使用感も良好なものとすることができる。
【図面の簡単な説明】
【００１６】
【図１】接着部材を示す側面図である。
【図２】正面図である。
【図３】マスクへの貼装状態を示す図である。
【発明を実施するための形態】
【００１７】
図面として示し、実施例で説明したように構成したことで実現した。
【実施例１】
【００１８】
次に、本発明の好ましい実施の例を、図面を参照して説明する。図中１は本発明を実施した接着部材である。この実施例における接着部材は医療手術用マスク２に対して使用されることを前提としている。この医療手術用マスク２は、使用前に略矩形をしており、その横幅が略１８ｃｍとなっているので、その裏面（顔面当接側）上端部に貼装することを考慮して、長さが約１４〜１５ｃｍ、幅は約１〜２ｃｍで厚さが約０．５ｃｍの帯状、それも帯板状とし、各側面は弧面に形成されているもので、使用時に、この接着部材のエッジ部分が顔面と当接してもその感触を緩衝するものとしてある。
【００１９】
この接着部材１は粘着材、それもアクリル系親水性高分子、グリセリン、水を材料とした粘着材によって形成されている。そのため、流動性は少なく、形状を良好に保持することができるとともに良好な接着性（粘着性）を保有する。
【００２０】
また、この接着部材１は表面、裏面に剥離紙、またはプラスチック製の剥離フィルムあるいは剥離シート等の剥離材３ａ、３ｂが備えられているもので、使用時には、この剥離材３ａ、３ｂを剥離して接着部材１を露呈させることとなる。
【００２１】
さらには、ミシン目、ノッチ等の切断用補助部を形成しておくこともでき、必要に応じてその切断用補助部に沿って小片のパッド状に切断して使用することもできる。尚、この切断はカッターや鋏等の利器によって好みの形状に切り出してやることも可能となる。
【００２２】
本実施例にあって接着部材１を貼装することを想定している医療手術用マスク２は矩形の四辺に形状維持のための縁取り４、４ａ、４ｂ、４ｃが設けられており、上下方向の縁取り４ｂ、４ｃは一体に延設されて後頭部あるいは頭上位置で結び締紐５、５‥が設けられている。
【００２３】
また、通気部（覆い部）には上下方向に複数の襞６、６‥が形成されているもので、この襞６、６‥を上下方向に拡張することで医療手術用マスク２は上下方向及び左右方向に丸味を構成し、使用者の鼻梁から顎までを被包する状態で装着されることになる。
【００２４】
さらに、この医療手術用マスク２の上端縁の縁取り４内には、金属あるいはプラスチックで成形されている可撓変形状の形状保持体が内蔵されており、医療手術用マスク２を使用者が装着した際に、最もフィットする状態とされ、その形状を保持することができるものとなっている。
【００２５】
前記した形状保持体の裏面側（顔面当接側）に接着部材１の一方面が接着して装着される。使用者は、医療手術用マスク２を装着した際に、その接着部材１の他面を自己の顔面、特に鼻梁から両頬、特にかん骨（頬骨）部分に当圧し、密着して使用する。この使用状態によって使用者の呼気、それに含まれる湿気、熱は上方へ逃げることなく封止され、使用者の装着しているゴーグルや眼鏡を曇らせる等の事態を防ぐことができる。
【００２６】
また、前記した装着使用状態にあって、医療手術用マスク２の上端縁以外は隙間が形成されるため、呼気が逃がされ、呼吸が苦しくなってしまうこともなく、必要な会話を行なうことも可能となる。
【００２７】
さらに、必要に応じて、接着部材１の粘着材を二層構造として、顔面当接側をさらにソフトなものとして形成してやることも可能である。
【００２８】
そして、接着部材１は適当な小片のパッドに切り出して、眼鏡の鼻当てに貼装し、使用することも可能である。かかる使用によって接着部材１は汗止めのほか、滑り止めとして作用して眼鏡の使用感を向上させることができる。
【産業上の利用可能性】
【００２９】
本発明に係る接着部材及びその使用方法は上記のように構成されている。この接着部材は特に権利を要求したマスクや眼鏡に対して使用するほか、皮膚と接触する物品の滑り止め対策としても広く応用が可能で、例えばソックスや鉢巻、必要とあれば衣類、シャツの袖口等にも使用することが可能である。
【符号の説明】
【００３０】
１    接着部材
２    医療手術用マスク
３ａ、３ｂ  剥離材
４、４ａ、４ｂ、４ｃ  縁取り
５    結び締紐
６    襞
【図１】
2015007163.tif 000003
【図２】
2015007163.tif 000004
【図３】
2015007163.tif 000005